(57)【要約】【課題】連結用針金を挿通させる挿通穴を有した屋根瓦において、上記挿通穴への針金の挿通作業を容易に行えるようにすること。【解決手段】瓦本体２０の適所に連結用の針金５を挿通させるための挿通穴４を有した屋根瓦において、上記挿通穴４は、瓦本体２０の下面２１側の開口４１が大径で瓦本体２０の上面２２側の開口４２が小径となるようなテーパー状に形成していることにより、針金５を挿通穴４に挿通させる際に、針金端部５ａを瓦本体下面側から挿通穴４の下面側開口４１（大径である）に位置合わせし易くなるようにしている。【選択図】  図２
2014114547.tif 000002
【特許請求の範囲】
【請求項１】
瓦本体（２０）の適所に連結用の針金（５）を挿通させるための挿通穴（４）を有した屋根瓦であって、上記挿通穴（４）は、瓦本体（２０）の下面（２１）側の開口（４１）が大径で瓦本体（２０）の上面（２２）側の開口（４２）が小径となるようなテーパー状に形成していることを特徴とする屋根瓦。
【発明の詳細な説明】
【技術分野】
【０００１】
本願発明は、平瓦（桟瓦も含む）や熨斗瓦や棟瓦（冠瓦）等の屋根瓦に関し、特に瓦本体の適所に連結用の針金を挿通させる挿通穴を有した屋根瓦に関するものである。
【背景技術】
【０００２】
屋根上に葺設した屋根瓦は、台風や地震等により、位置ずれしたりひどいときには剥落・崩壊等の危険があるが、このような位置ずれや剥落・崩壊等を防止するために、従来から屋根瓦を針金で連結することが行われている。
【０００３】
針金で連結される屋根瓦としては、平瓦（桟瓦を含む）や熨斗瓦や棟瓦等がある。そして、屋根瓦を針金で連結させた瓦屋根構造として例えば図６に示すものがある。尚、図６の瓦屋根構造は、屋根棟部のものであって、特開平９−６７９０２号公報（特許文献１の図７）に開示されているものである。
【０００４】
図６に示す従来の屋根棟部の瓦屋根構造は、屋根棟部（左右の野地板８，８の突き合わせ部）上に左右一対の台熨斗瓦１，１を配置し、その上に平板状の熨斗瓦２，２（左右一対）を適数段（図示例では３段）積み重ねた後、最上部に断面円弧状の棟瓦（冠瓦とも称する）３を設置して構成されている。
【０００５】
台熨斗瓦１と熨斗瓦２間、上下の熨斗瓦２，２間、最上部の熨斗瓦２と棟瓦３間にはそれぞれ葺土（漆喰）９が介在されている。
【０００６】
左右同高さに位置する熨斗瓦２，２は、それぞれ連結用の針金５で連結されている。即ち、図７に拡大図示するように、左右各側の熨斗瓦２，２におけるそれぞれ内方側端縁寄りの位置には、それぞれ連結用の針金５を挿通させるための挿通穴４，４が形成されていて、左右の熨斗瓦２，２のそれぞれの挿通穴４，４に１本の針金５の各端部５ａ，５ａを熨斗瓦２の下面２１側から通して両熨斗瓦２，２の上面側において針金５の両端部５ａ，５ａ同士をねじり締めすることによって両熨斗瓦２，２を連結している。尚、最上段の熨斗瓦２，２と棟瓦３も、それぞれの挿通穴４，４に針金５を挿通させて連結している。
【０００７】
ところで、図６の屋根棟部構造で使用されている従来の熨斗瓦２では、針金５を挿通させるための挿通穴４は、図７に拡大図示するように内径が３〜４mm程度のかなり小径のものを同径状態で上下に貫通させたものである。そして、熨斗瓦２の挿通穴４に針金５を挿通させるには、図７に鎖線図示するように針金５′の各端部５ａ′５ａ′を各熨斗瓦２，２の下面２１側から各挿通穴４，４に差し込んで上方に引き出すことで達成される。尚、棟瓦３の挿通穴４に対する針金５の挿通作業も、該針金５の各端部を棟瓦３の下面側から挿通穴４に差し込んで挿通させる。
【先行技術文献】
【特許文献】
【０００８】
【特許文献１】特開平９−６７９０２号公報（図７参照）
【発明の概要】
【発明が解決しようとする課題】
【０００９】
ところで、熨斗瓦２の挿通穴４に針金５を挿通させるには、図７に鎖線図示するように、針金５′の端部５ａ′を熨斗瓦２の下面２１側から挿通穴４の下面側開口４１に位置合わせする必要があるが、そのとき挿通穴４の下面側開口４１は熨斗瓦２の上面側からは見えないので、該針金端部５ａ′を挿通穴４の下面側開口４１に対して手探りで位置合わせする必要がある。
【００１０】
ところが、図６及び図７に示す従来の熨斗瓦２では、挿通穴４の下面側開口４１が熨斗瓦２の上面側からは見えず、且つ該下面側開口４１が比較的小径（例えば３〜４mmの内径）であるので、針金端部５ａ′を挿通穴４の下面側開口４１に位置合わせする際に、該針金端部５ａ′を該下面側開口４１の近辺に摺接させながら合致する位置を探し当てるが、下面側開口４１が小径であるので針金端部５ａ′が挿通穴４の下面側開口４１に合致するまでにかなりの時間を要していた。従って、従来の熨斗瓦２では、挿通穴４に対する針金挿通作業が面倒であるとともに作業効率が悪いという問題があった。
【００１１】
尚、棟瓦３の挿通穴４に対する針金５の挿通作業も、上記と同様の面倒さと作業効率の悪さが発生する。
【００１２】
他方、屋根の斜面に葺設される平瓦（桟瓦も含む）も、野地板上面に対して針金で連結する形態のものがあるが、その場合は、瓦尻部に設けた挿通穴に対して針金を挿通させる必要があるので、この場合も針金挿通作業に上記と同様の面倒さや作業効率の悪さが発生する。
【００１３】
そこで、本願発明は、屋根瓦葺設工事において、瓦本体に設けた挿通穴に対して針金を比較的容易に且つ短時間で挿通させ得るようにした屋根瓦を提供することを目的としてなされたものである。
【課題を解決するための手段】
【００１４】
本願発明は、上記課題を解決するための手段として次の構成を有している。尚、本願発明は、平瓦（桟瓦も含む）や熨斗瓦や棟瓦等の屋根瓦を対象にしたものであるが、添付の図１〜図４に例示するものでは、本願の屋根瓦として棟用の熨斗瓦と棟瓦を採用している。そして、以下の説明では、本願の屋根瓦として棟部の熨斗瓦を主体に説明する。
【００１５】
本願の屋根瓦は、図１〜図５に例示するように、瓦本体２０に連結用針金５を挿通させるための挿通穴４を設けている。この挿通穴４は、屋根瓦が熨斗瓦２の場合では、瓦本体２０の内方側の側縁部寄り位置に適数個（１〜３個程度）形成されている。
【００１６】
本願の屋根瓦では、上記挿通穴４は、瓦本体２０の下面２１側の開口４１が大径で瓦本体２０の上面２２側の開口４２が小径となるようなテーパー状に形成している。即ち、この挿通穴４は、瓦本体２０の下面側から上面側に向けて先細のテーパー状となっている。  この挿通穴４の下面側開口４１と上面側開口４２の各大きさは、特に限定するものではないが、下面側開口４１の直径が１０〜１５mm程度で、上面側開口４２の直径が３〜４mm程度に設定することができる。
【００１７】
ところで、本願の屋根瓦の挿通穴４に連結用の針金５を挿通させるには、該針金５の端部５ａを瓦本体２０の下面２１側から挿通穴４に差し込んで挿通させるが、そのとき挿通穴４の下面側開口４１は瓦本体２０の上面側から見えないので、針金端部５ａを挿通穴４の下面側開口４１に対して手探りで位置合わせすることになる。
【００１８】
そのとき、挿通穴４の下面側開口４１が大径（例えば直径が１０〜１５mm）であると、針金端部５ａを該下面側開口４１に位置合わせするのに、手探りであっても該針金端部５ａを該下面側開口４１に対して比較的簡単に合致させることができる。そして、針金端部５ａが挿通穴４の下面側開口４１に合致した状態で該針金端部５ａを挿通穴４内に押し込んでいくと、挿通穴４の内面がテーパー状であるので、該針金端部５ａが挿通穴４内をスムーズに進入して、該針金５を挿通穴４内に挿通させることができる。そして、針金５を挿通穴４に挿通させた後、屋根瓦を設置すべき所定の位置に配置した状態で、挿通させた針金５で屋根瓦を連結することにより、当該屋根瓦を所定位置に設置（固定）できる。尚、屋根瓦の設置後は、針金５を通した挿通穴４の上面側開口に雨水侵入防止用のコーキング材を充填することがある。
【発明の効果】
【００１９】
本願発明の屋根瓦では、連結用の針金５を挿通するための挿通穴４を、瓦本体２０の下面側開口４１が大径で瓦本体２０の上面側開口４２が小径となるテーパー状に形成しているので、屋根瓦の挿通穴４に対して針金５の端部５ａを瓦本体２０の下面側から差し込む場合（挿通穴４の下面側開口４１及び針金端部５ａが瓦本体の上面側から見えない）でも、挿通穴４の下面側開口４１が大径である分、該下面側開口４１に対する針金端部５ａの位置合わせが容易となる。
【００２０】
従って、本願発明の屋根瓦では、挿通穴４を上記のように下面側開口４１が大径となるテーパー状に形成していることにより、該挿通穴４に対する針金５の挿通作業が簡単となり且つ該針金挿通作業を短時間で行えるという効果がある。
【００２１】
又、本願発明の屋根瓦では、上記のように挿通穴４の下面側開口４１を大径にすることによって、挿通穴４に対する針金５の挿通作業が容易に行えるようにしたものであっても、挿通穴４の上面側開口４２が小径であるので、挿通穴４の上面側開口４２に対して雨水侵入防止用のコーキング材を充填する際に、そのコーキング材の充填量が少なくて済むとともに、その分、コーキング材充填作業が容易となるという効果がある。
【図面の簡単な説明】
【００２２】
【図１】本願発明の屋根瓦の実施例となる棟用の熨斗瓦の斜視図である。
【図２】図１のII−II拡大断面図である。
【図３】図１の熨斗瓦を使用した棟部瓦屋根構造を示す断面図である。
【図４】図３の棟部瓦屋根構造における熨斗瓦の設置方法説明図である。
【図５】図３の棟部瓦屋根構造における熨斗瓦の連結状態を示す拡大図である。
【図６】従来の棟部瓦屋根構造を示す断面図である。
【図７】図６の棟部瓦屋根構造における熨斗瓦の連結状態を示す拡大図である。
【発明を実施するための形態】
【００２３】
［実施例］
以下、図１〜図５を参照して本願実施例の屋根瓦を説明すると、図１〜図２には本願の屋根瓦の代表例として棟用の熨斗瓦２を採用したものを示し、図３には図１〜図２の熨斗瓦２を使用した棟部瓦屋根構造を示し、図４には図３における左右の熨斗瓦２，２を針金５で連結する方法を示し、図５には図３の一部拡大図を示している。
【００２４】
尚、本願の屋根瓦は、瓦本体に連結用針金を挿通させる挿通穴４を有したものを対象にしたものであって、本願で対象となる屋根瓦は、屋根の傾斜面に葺設される平瓦（桟瓦も含む）や本願実施例の熨斗瓦や棟瓦等も含むものである。
【００２５】
図１及び図２に示す本願実施例の熨斗瓦（屋根瓦となる）２は、図３の棟部瓦屋根構造に示すように、左右一対状態で使用されるものである。
【００２６】
そして、この熨斗瓦２は、平面視長方形の瓦本体２０における設置時に内方側となる側縁寄り位置に連結用の針金５を挿通させるための挿通穴４を設けて構成されている。この実施例では、該挿通穴４は瓦本体２０の内方側となる側縁部の長さ方向に間隔をもって３箇所に形成している。尚、他の実施例の熨斗瓦２では、挿通穴４の個数は少なくとも１個あればよい。
【００２７】
この各挿通穴４は、瓦本体２０の下面２１側の開口４１が大径で瓦本体２０の上面２２側の開口４２が小径となるようなテーパー状に形成している。即ち、この挿通穴４は、瓦本体２０の下面側から上面側に向けて先細のテーパー状となっている。
【００２８】
この挿通穴４の下面側開口４１と上面側開口４２の各大きさは、特に限定するものではないが、下面側開口４１の直径（図２のＤ１）が１０〜１５mm程度で、上面側開口４２の直径（図２のＤ２）が３〜４mm程度に設定することができる。又、この挿通穴４の内面は、緩やかな凸曲面状に形成されていて、下面側開口４１の縁部付近の内面４３（図２、図５）は穴芯に対してかなり外開き状に傾斜している。
【００２９】
図１及び図２に示す熨斗瓦２は、図３に示すように屋根棟部の瓦屋根構造の一部として使用される。尚、図３に示す棟部瓦屋根構造は、屋根棟部（左右の野地板８，８の突き合わせ部）上に左右一対の台熨斗瓦１，１を配置し、その上に平板状の熨斗瓦２，２（左右一対）を適数段（図示例では３段）積み重ねた後、最上部に断面円弧状の棟瓦３を設置して構成されている。尚、台熨斗瓦１と熨斗瓦２間、上下の熨斗瓦２，２間、最上部の熨斗瓦２と棟瓦３間にはそれぞれ葺土（漆喰）９が介在されている。
【００３０】
図３に示す実施例の瓦屋根構造で使用されている棟瓦３にも、連結用の針金５を挿通させるための挿通穴４が形成されている。この棟瓦３の挿通穴４は、棟瓦中心付近の左右２位置に形成されている。又、この棟瓦３の各挿通穴４，４も、熨斗瓦２の挿通穴４と同様に下面側が大径で上面側が小径となるテーパー状に形成されている。
【００３１】
そして、図３の瓦屋根構造では、左右同高さに位置する各段（全３段）の熨斗瓦２，２・・（合計６枚）と最上部の棟瓦３を、それぞれ針金５，５・・で屋根棟部上に固定状態で設置した横架材（木材製）１４に縛り付けるようにして設置している。
【００３２】
この横架材１４は、図４に示すように、屋根棟部上に間隔をもって立設固定した複数の支持台１１，１１間に跨がって架設されている。各支持台１１，１１は、支柱１２の下部に設けた左右の固定板１３，１３を屋根板（野地板）８，８上に釘止めしてそれぞれ固定されている。支柱１２の上端部には、横架材１４を挿通させる穴が形成されており、各支持台１１，１１の各穴に跨がって横架材１４を挿通させることで、該横架材１４を屋根棟部上に固定状態で支持させている。
【００３３】
ところで、左右同高さに位置する各段の熨斗瓦２，２は、それぞれ連結用の針金５で連結されているが、図３に示す棟部瓦屋根構造では、次のようにして連結されている。即ち、最下段の２つの熨斗瓦２，２で説明すると、図４に示すように、左右の各熨斗瓦２，２を各側の挿通穴４，４が対向する状態で横架材１４の左右各側に配置し、１本の針金５を横架材１４の下方にくぐらせた状態で、各側の熨斗瓦２，２の挿通穴４，４に対して、針金５の各端部５ａ，５ａを瓦本体２０の下面２１側からそれぞれ挿通させた状態で、各熨斗瓦２，２を葺土９上の所定位置に位置決めし、その後、針金５の各上部側を横架材１４の上部側においてねじり締めすることで、図５に示すように１本の針金５で左右の熨斗瓦２，２を横架材１４と共に連結している。
【００３４】
そして、同様に、図３に示すように、２段目の各熨斗瓦２，２、３段目の各熨斗瓦２，２、及び最上部の棟瓦３を、それぞれ針金５，５，５で横架材１４に絡ませて連結することにより、棟部瓦屋根構造を完成させる。
【００３５】
図３に示す棟部瓦屋根構造のように、各屋根瓦（各熨斗瓦２、棟瓦３）を棟部上に固定状態で取付けている横架材１４を含めて針金５で連結すると、もし地震発生時の大きな揺れで各屋根瓦（各熨斗瓦２、棟瓦３）が葺土９等から剥がれても、該各屋根瓦がそれぞれ針金５，５・・を介して横架材１４に連結されているので、該各屋根瓦が棟部から崩落することはない。
【００３６】
ところで、熨斗瓦２（棟瓦３も同じ）の挿通穴４に針金５を挿通させるには、図１及び図２に示すように、針金５の端部５ａを瓦本体２０の下面側から挿通穴４に差し込んで上方に引き出すことで達成されるが、その針金端部５ａを挿通穴４の下面側開口４１に位置合わせさせる際には、挿通穴４の下面側開口４１は瓦本体２０の上面２２側から見えないので、針金端部５ａを挿通穴４の下面側開口４１に対して手探りで位置合わせすることになる。
【００３７】
そのとき、この実施例の熨斗瓦２では、挿通穴４の下面側開口４１が大径（例えば直径が１０〜１５mm）であるので、針金端部５ａを該下面側開口４１に位置合わせするのに、手探りであっても比較的簡単に合致させることができる。そして、針金端部５ａが挿通穴４の下面側開口４１に合致した状態で該針金端部５ａを挿通穴４内に押し込んでいくと、挿通穴４の内面がテーパー状であるので、該針金端部５ａが挿通穴４内をスムーズに進入して、該針金５を挿通穴４内に挿通させることができる。
【００３８】
従って、この実施例の屋根瓦（熨斗瓦２）では、挿通穴４を上記のように下面側開口４１が大径となるテーパー状に形成していることにより、該挿通穴４に対する針金５の挿通作業が簡単となり且つ該針金挿通作業を短時間で行えるという機能がある。
【００３９】
又、この実施例の屋根瓦（熨斗瓦２）では、上記のように挿通穴４の下面側開口４１を大径にすることによって、挿通穴４に対する針金５の挿通作業が容易に行えるようにしたものであっても、挿通穴４の上面側開口４２が小径であるので、挿通穴４の上面側開口４２に対して雨水侵入防止用のコーキング材を充填する際に、そのコーキング材の充填量が少なくて済むとともに、その分、コーキング材充填作業が容易となるという機能もある。
【００４０】
又、熨斗瓦２の挿通穴４は、下向きに拡開するテーパー状に形成されているので、挿通穴４の下面側開口４１の縁部付近の内面４３（図２、図５参照）はかなり外開き状に傾斜している。そして、この熨斗瓦２を最下段の熨斗瓦として使用する場合には、図５に示すように、左右の各熨斗瓦２，２の挿通穴４，４に１本の針金５を挿通した後、各針金端部５ａ，５ａをねじり締めるときに、該各挿通穴４の下面側開口４１付近の内面４３に接する針金部分５ｂが緩やかな曲線状に接触するようになる。このように、各挿通穴４の下面側開口４１付近の内面４３に接する針金部分５ｂが緩やかな曲線状に接触すると、針金５の下辺部分５ｃを容易に直線状に緊張させることができ、それによって両熨斗瓦２，２への針金５による締め付け力を増大させることができるという機能もある。
【００４１】
尚、本願の屋根瓦における挿通穴４の構成（挿通穴４をテーパー状にした構成）は、図３に示す棟瓦３の挿通穴４にも適用できるものである。さらに、屋根斜面に葺設される平瓦（桟瓦を含む）についても、針金を挿通穴に通して屋根板面に連結する構造のものでは、該挿通穴を本願のようにテーパー状に形成することで、本願の屋根瓦として適用できるものである。
【符号の説明】
【００４２】
２は熨斗瓦（屋根瓦）、３は棟瓦（屋根瓦）、４は挿通穴、５は針金、５ａは針金の端部、２０は瓦本体、２１は瓦本体の下面、２２は瓦本体の上面、４１は挿通穴の下面側開口、４２は挿通穴の上面側開口である。
【図１】
2014114547.tif 000003
【図２】
2014114547.tif 000004
【図３】
2014114547.tif 000005
【図４】
2014114547.tif 000006
【図５】
2014114547.tif 000007
【図６】
2014114547.tif 000008
【図７】
2014114547.tif 000009